(57)【要約】  ドラム洗濯機及びその漏水判断方法であって、洗濯機は、フロントパネル（１）を備える筐体（４）、筐体（４）内に位置する洗浄筒（２）、制御装置及び排水装置を含み、フロントパネル（１）には扉体（３）を装着するための凹部（１１）が備えられ、凹部（１１）の中央は洗浄筒（２）と連通する衣類投入口（１２）となっている。前記凹部（１１）の周壁には漏水孔（１４）が設けられており、筐体（４）内には漏水孔（１４）と連通する水受（１５）が設けられており、水受（１５）内には水位検出装置が設けられており、水受（１５）には排水機構が設けられており、制御装置は水位検出装置に接続されており、水受（１５）内の水位の変化に基づいて漏水情報を取得するとともに、漏水情報に応じた漏水対策を実行する。当該ドラム洗濯機及びその漏水判断方法によれば、洗濯機の扉封止箇所における漏水の有無を検出し、漏水情報に基づいて漏水対策を実行可能である。【選択図】図１
2019509137.tif 000002
【特許請求の範囲】
【請求項１】
フロントパネルを備える筐体、筐体内に位置する洗浄筒、制御装置及び排水装置を含み、フロントパネルには扉体を装着するための凹部が備えられ、凹部の中央は洗浄筒と連通する衣類投入口となっているドラム洗濯機において、
前記凹部の周壁には漏水孔が設けられており、筐体内には漏水孔と連通する水受が設けられており、水受内には水位検出装置が設けられており、水受には排水機構が設けられており、制御装置は水位検出装置に接続されており、水受内の水位の変化に基づいて漏水情報を取得するとともに、漏水情報に応じた漏水対策を実行することを特徴とするドラム洗濯機。
【請求項２】
前記排水機構は漏水ポンプを含み、水受は漏水ポンプを介して洗浄筒と連通しており、排水機構は水受から洗浄筒に至る水返還構造であるか、或いは、前記排水機構は外部の排水管路と連通していることを特徴とする請求項１に記載のドラム洗濯機。
【請求項３】
前記漏水対策として、前記水位検出装置は水受内の水位状況を検出すると第１漏水情報を取得し、制御装置は第１漏水情報に基づいて排水機構が起動するよう制御することを特徴とする請求項１に記載のドラム洗濯機。
【請求項４】
排水機構の起動後、前記水位検出装置は引き続き水受内の水位の変化状況を検出して第２漏水情報を取得し、制御装置は第２漏水情報及び取得した洗濯プログラムの段階情報に基づいて、第２漏水情報及び洗濯プログラムの段階に応じた第２漏水対策を実行することを特徴とする請求項３に記載のドラム洗濯機。
【請求項５】
前記第２漏水情報は、洗濯機が深刻に漏水しており、排水機構の起動後も水受内の水位が依然として上昇している旨を含み、前記第２漏水対策として、
給水段階の洗濯機が深刻に漏水している場合には、洗濯機の給水を停止するとともに、排水装置が排水を開始するよう制御し、
洗浄／すすぎ段階の洗濯機が深刻に漏水している場合には、洗濯プログラムを停止するとともに、排水装置が排水を開始するよう制御することを特徴とする請求項４に記載のドラム洗濯機。
【請求項６】
前記第２漏水情報は、洗濯機が軽微に漏水しており、排水機構の起動後に水受内の水位が上昇しなくなった旨を含み、前記第２漏水対策として、更に、洗濯機が軽微に漏水していると判断された場合には、洗濯プログラムを引き続き実施するよう制御することを特徴とする請求項４に記載のドラム洗濯機。
【請求項７】
前記漏水対策として、前記水位検出装置により検測された水受内の水位が零水位になると、排水機構は稼働を停止することを特徴とする請求項１に記載のドラム洗濯機。
【請求項８】
前記漏水対策として、洗濯機はユーザにより認識可能な警告情報を出力することを特徴とする請求項１に記載のドラム洗濯機。
【請求項９】
前記警告情報は、漏水情報に対応する警告情報であることを特徴とする請求項８に記載のドラム洗濯機。
【請求項１０】
前記扉体と衣類投入口の間には密封構造が備わっており、洗浄筒と漏水孔はそれぞれ密封構造の内外両側に設けられることを特徴とする請求項１に記載のドラム洗濯機。
【請求項１１】
請求項１〜１０に記載のドラム洗濯機の漏水判断方法であって、
水位検出装置により検出された水受内の水位の変化状況に基づいて漏水情報を取得し、そのステップとして、
水位検出装置が稼働し、水受内の水位を検出して出力するステップＳ１０１と、
制御装置が第１漏水情報を取得するステップＳ１０２と、
排水機構が動作を開始するステップＳ１０３と、
排水機構が所定の時間動作した後に、水位検出装置が水受内の水位の変化を検出するステップＳ１０４と、
制御装置が第２漏水情報を取得するステップＳ１０５と、
第２漏水対策を実行するステップＳ１０６と、を含むことを特徴とする方法。
【請求項１２】
ステップＳ１０２において、水受内が水位Ｈ＞０の場合には、洗濯機が漏水していると判断して第１漏水情報を取得し、
ステップＳ１０５において、水位検出装置により検出された水受内の水位Ｈの変化状況に基づいて、前記第２漏水情報は、
水受内の水位Ｈが上昇しており、洗濯機が深刻に漏水していると判断される旨、及び、
水受内の水位Ｈが下降している又は不変であり、洗濯機が軽微に漏水していると判断される旨、を含むことを特徴とする請求項１１に記載の漏水判断方法。
【請求項１３】
洗濯機は、単位時間あたりの水受内の水位の変化を検出することで対応する漏水対策を実行することを特徴とする請求項１１に記載の漏水判断方法。
【発明の詳細な説明】
【技術分野】
【０００１】
本発明は洗濯機分野に関し、特に、ドラム洗濯機及びその漏水判断方法に関する。
【背景技術】
【０００２】
一般的なドラム洗濯機のフロントパネルには、洗浄筒に対し衣類を出し入れするための衣類投入口が備わっており、衣類投入口の周囲にはパッキンが設けられている。更に、フロントパネルには衣類投入口を封止するための扉体がヒンジ接続されている。扉体にはカップ型の覗き窓が備わっており、扉体の閉止時には、覗き窓とパッキンが緊密に密着することで洗浄水の漏出が防止される。
【０００３】
従来のドラム洗濯機では、扉体とパッキンの間の作用力を増加することで覗き窓とパッキンとの緊密な密着を強化し、洗浄水が漏出するとの課題を解決している。ここで、特許文献１は、ドラム洗濯機の槽装置及び槽の製造方法を開示している。槽装置は、槽本体に槽カバーを組み付ける際に、槽本体の前方外周部分が全体として統一した高さ及び厚さとなるよう維持している。そのため、パッキンに圧力が加わる際にパッキンは均一な圧力を受けることができ、外部への槽内洗浄水の漏出を回避するとの効果が達成される。
【０００４】
しかし、洗濯機を長期間使用しているうちに、場合によってパッキンに破損、変形或いは抜け落ち等が生じるとの課題がある。更に、上記の課題に起因して覗き窓とパッキンの間に隙間ができるため、衣類の洗浄時にこれらの隙間から洗浄水が漏出し、衣類の洗浄に影響するとともに、洗濯機の周辺環境も汚染してしまう。また、更に重要な点として、漏出した洗浄水が洗濯機の内部に流入すると、洗浄水が電気部品に接触することで、回路のショートや電気部品の焼け、漏電等の問題が発生し、且つ、感電という安全上のリスクも存在する。
【０００５】
以上に鑑みて、本発明を提案する。
【先行技術文献】
【特許文献】
【０００６】
【特許文献１】中国特許出願公開第ＣＮ０３１３０１０７．Ｘ号明細書
【発明の概要】
【発明が解決しようとする課題】
【０００７】
本発明は、従来技術の瑕疵を解消すべく、洗濯機の扉封止箇所における漏水の有無を検出し、漏水情報に基づいて漏水対策を実行可能なドラム洗濯機を提供することを目的とする。
【０００８】
また、本発明は、当該ドラム洗濯機の漏水判断方法を提供することを更なる目的とする。
【課題を解決するための手段】
【０００９】
上記の目的を実現するために、本発明では以下の技術方案を用いる。
【００１０】
ドラム洗濯機であって、フロントパネルを備える筐体、筐体内に位置する洗浄筒、制御装置及び排水装置を含み、フロントパネルには扉体を装着するための凹部が備えられ、凹部の中央は洗浄筒と連通する衣類投入口となっており、前記凹部の周壁には漏水孔が設けられており、筐体内には漏水孔と連通する水受が設けられており、水受内には水位検出装置が設けられており、水受には排水機構が設けられており、制御装置は水位検出装置に接続されており、水受内の水位の変化に基づいて漏水情報を取得するとともに、漏水情報に応じた漏水対策を実行する。
【００１１】
更に、前記排水機構は漏水ポンプを含み、水受は漏水ポンプを介して洗浄筒と連通しており、排水機構は水受から洗浄筒に至る水返還構造であるか、或いは、前記排水機構は外部の排水管路と連通している。
【００１２】
更に、前記漏水対策として、前記水位検出装置は水受内の水位状況を検出すると第１漏水情報を取得し、制御装置は第１漏水情報に基づいて排水機構が起動するよう制御する。
【００１３】
更に、排水機構の起動後、前記水位検出装置は引き続き水受内の水位の変化状況を検出して第２漏水情報を取得し、制御装置は第２漏水情報及び取得した洗濯プログラムの段階情報に基づいて、第２漏水情報及び洗濯プログラムの段階に応じた第２漏水対策を実行する。
【００１４】
前記第２漏水情報は、洗濯機が深刻に漏水しており、排水機構の起動後も水受内の水位が依然として上昇している旨を含み、前記第２漏水対策として、給水段階の洗濯機が深刻に漏水している場合には洗濯機の給水を停止するとともに、排水装置が排水を開始するよう制御し、洗浄／すすぎ段階の洗濯機が深刻に漏水している場合には洗濯プログラムを停止するとともに、排水装置が排水を開始するよう制御する。
【００１５】
更に、前記第２漏水情報は洗濯機が軽微に漏水しており、排水機構の起動後に水受内の水位が上昇しなくなった旨を含み、前記第２漏水対策として、更に、洗濯機が軽微に漏水していると判断された場合には洗濯プログラムを引き続き実施するよう制御する。
【００１６】
更に、前記漏水対策として、前記水位検出装置により検測された水受内の水位が零水位になると、排水機構は稼働を停止する。
【００１７】
更に、前記漏水対策として、洗濯機はユーザにより認識可能な警告情報を出力する。好ましくは、当該警告情報は漏水情報に対応する警告情報である。
【００１８】
ドラム洗濯機の漏水判断方法であって、水位検出装置により検出された水受内の水位の変化状況に基づいて漏水情報を取得し、そのステップとして、水位検出装置が稼働し、水受内の水位を検出して出力するステップＳ１０１と、制御装置が第１漏水情報を取得するステップＳ１０２と、排水機構が動作を開始するステップＳ１０３と、排水機構が所定の時間動作した後に、水位検出装置が水受内の水位の変化を検出するステップＳ１０４と、制御装置が第２漏水情報を取得するステップＳ１０５と、第２漏水対策を実行するステップＳ１０６と、を含む。
【００１９】
更に、ステップＳ１０２において、水受内が水位Ｈ＞０の場合には、洗濯機が漏水していると判断して第１漏水情報を取得し、ステップＳ１０５において、水位検出装置により検出された水受内の水位Ｈの変化状況に基づいて、前記第２漏水情報は、水受内の水位Ｈが上昇しており洗濯機が深刻に漏水していると判断される旨、及び、水受内の水位Ｈが下降している又は不変であり、洗濯機が軽微に漏水していると判断される旨、を含む。
【００２０】
更に、本発明における上記方案の代替方案として、単位時間あたりの水受内の水位の変化を検出することで対応する漏水対策を実行する。
【発明の効果】
【００２１】
上記の技術方案を用いることで、本発明は従来技術と比較して以下のような有益な効果を有する。
【００２２】
本発明は、洗濯機の筐体におけるフロントパネルのうち扉体を装着するための凹部の周壁に漏水孔を設けるとともに、筐体内に漏水孔から漏出した洗浄水を受け付けるための水受を設けている。そのため、衣類の洗浄時に洗浄水の漏出が発生した場合、水受が漏水孔から漏出した洗浄水を受け付けることで、外部への洗浄水の漏出が回避される。  更に、水受は、排水機構と水管を順に経由して洗浄筒と連通している。そのため、水受により受け付けられた漏水はポンプにより洗浄筒に送られて洗浄水として引き続き使用される。これにより、外部への洗浄水の漏出に起因する水資源の無駄が回避される。また、より重要な点として、漏電や感電といった安全上のリスクが低下する。
【００２３】
且つ、水受内には水位検出装置が設けられており、洗濯機の制御装置と水位検出装置、排水機構、排水ポンプが接続されている。このような設置によって洗濯機に漏水検出機能を追加しているため、ユーザに対し速やかに警告情報を出力可能となる。
【００２４】
更に、水受内の水位の変化状況から扉封止箇所における漏水状況を判断することで、漏水判断の精度が向上するとともに、漏水判断のフィードバック時間が短縮される。結果、洗濯機の外槽からの漏水に起因する深刻な危害が回避される。
【００２５】
更に、制御装置は漏水情報に基づいて漏水対策を実行するよう設けられている。これにより、軽微な漏水の場合には、洗浄水を洗濯機の外部に漏出させることなく、洗濯過程の正常な進行を保証可能となる。また、深刻な漏水の場合には、洗浄水が洗濯機の外部に漏出して周辺環境を汚染し、安全上のリスクを招来することのないよう、洗濯過程を停止する。漏水状況の違いや洗濯プログラムの段階に基づいて相応の対策が実行されるため、洗濯機の動作効率が向上し、ユーザにとっては時間の節約となる。
【００２６】
以下に、図面を組み合わせて本発明の具体的実施形態につき更に詳細に述べる。
【図面の簡単な説明】
【００２７】
【図１】図１は、本発明の実施例で提供する洗濯機の構造を示す図である。
【図２】図２は、本発明の実施例で提供する洗濯機の構造を示す図である。
【図３】図３は、本発明の実施例で提供する洗濯機におけるフロントパネルの内側の構造を示す図である。
【図４】図４は、本発明の実施例１で提供する漏水判断方法及び漏水対策のフローチャートである。
【図５】図５は、本発明の実施例２で提供する漏水判断方法及び漏水対策のフローチャートである。
【発明を実施するための形態】
【００２８】
本発明における実施例の目的、技術方案及び利点をより明確とすべく、以下に、本発明の実施例にかかる図面を組み合わせて実施例の技術方案につき明瞭簡潔に述べる。なお、下記の実施例は本発明を説明するためのものであって、本発明の範囲を制限するものではない。
【００２９】
図１に示すように、本発明で記載するドラム洗濯機は、扉体を装着するための凹部１１が洗濯機における筐体４のフロントパネル１に備わっている。凹部１１の中央は洗浄筒と連通する衣類投入口１２となっており、衣類投入口１２によって、洗浄筒２の内部に対し衣類を出し入れするための経路が形成されている。衣類投入口１２の周囲にはパッキン１３が設けられており、パッキン１３によってフロントパネル１と洗浄筒２が接続される。パッキン１３は、弾性変形能力を持つ例えばゴムのような材料で形成される。フロントパネル１には、衣類投入口１２を封止する扉体３が設けられている。扉体３はヒンジによりフロントパネル１に固定されており、且つ、ヒンジの中心軸周りに回転可能である。扉体３の中央には覗き窓３１が設けられている。扉体３が閉止されると、覗き窓３１の本体によって衣類投入口１２が封止される。覗き窓３１の周囲はパッキン１３に対し緊密に密着して衣類投入口１２を密封するため、洗浄水の漏出が防止される。
【００３０】
しかし、洗濯機を長期間使用しているうちに、パッキンに破損、変形或いは抜け落ち等が生じるとの課題がある。更には、覗き窓とパッキンの間に隙間ができるため、衣類の洗浄時にこれらの隙間から洗浄水が漏出し、衣類の洗浄に影響するとともに、洗濯機の周辺環境も汚染してしまう。且つ、漏電、電気部品の焼け、感電といった安全上のリスクも存在する。
【００３１】
上記の課題を解決すべく、図２及び図３に示すように、凹部１１の周壁には漏水孔１４が設けられている。漏水孔１４は凹部の壁を貫通している。好ましくは、漏水孔１４は凹部１１の周壁底部における最も低い位置に設けられる。また、漏水孔１４の数は１つでもよいし、複数設けてもよい。フロントパネル１の内側における凹部１１の下方には、漏水孔１４とちょうど対向する位置に水受１５が設けられている。水受１５は、漏水孔１４から漏出した洗浄水を受け付けるために用いられる。漏水が発生した場合には、漏出した洗浄水が凹部１１の周壁に沿って凹部の底部における最も低い位置の漏水孔１４に流入する。洗浄水は漏水孔を経由して最終的に水受１５に流入するため、洗浄水が洗濯機の外部に流出するとの事態が回避される。また、洗浄水が洗濯機の内部に流入し、電気部品に接触することで回路がショートするとの事態も回避される。
【００３２】
更に、水受１５内には水位検出装置（図示しない）が設けられている。具体的に、水位検出装置は、水受１５内の水位の高さ及び水位の変化を測定する水位計としてもよい。水位検出装置と洗濯機の制御装置（図示しない）は有線又は無線で接続され、水位検出装置は検出した水位信号、即ち水位の変化状況を制御装置にフィードバックする。
【００３３】
また、水受１５には排水機構が設けられており、排水機構は漏水ポンプ１６を含む。漏水ポンプ１６は洗濯機の制御装置（図示しない）に接続されており、制御装置によって起動及び停止が制御される。水受１５は漏水ポンプ１６を介して洗浄筒と連通している。排水機構は、水受１５から洗浄筒２に至る水返還構造をなしているか、或いは、排水機構は外部の排水管路（図示しない）と連通している。また、漏水ポンプ１６は水管１７に接続されており、水管１７の他端が洗浄筒２の上部と連通している。
【００３４】
衣類の洗浄時に洗浄水の漏出が発生した場合には、漏水孔から漏出した洗浄水を水受が受け付ける。更に、水位検出装置は、水受内が水位Ｈ＞０であることを検出すると漏水情報を出力する。このときの漏水情報は洗濯機における漏水の有無を示しており、第１漏水情報とされる。制御装置は、第１漏水情報に基づいて排水機構が起動するよう制御する。すると、水受１５により受け付けられた漏水は、水管１７を経由して排水機構のポンプにより洗浄筒２に送られ、洗浄水として引き続き使用される。よって、洗浄用水が節約されるとともに、漏電や感電といった安全上のリスクが回避される。
【００３５】
更に、漏水ポンプ１６の起動後、水位検出装置は引き続き水受１５内の水位の変化状況を検出して第２漏水情報を取得する。第２漏水情報は水受１５内の水位の変化状況を反映しており、水位の上昇状況によって漏水が深刻であるか否かが示される。制御装置は、第２漏水情報及び取得した洗濯プログラムの段階情報に基づいて、第２漏水情報及び洗濯プログラムの段階に応じた第２漏水対策を実行する。
【００３６】
更に、前記水位検出装置により検測された水受内の水位が零水位になると、排水機構は稼働を停止する。また、水位検出装置は水受内に漏水が存在することを再び検出すると、前記漏水情報を再度出力して漏水対策を実行する。
【００３７】
実施例１
【００３８】
実際の洗濯過程において、ドラム洗濯機による漏水状況は、洗濯プログラムの段階によって給水段階での漏水と、洗浄／すすぎ段階での漏水に分けられる。本実施例は、給水段階での本発明におけるドラム洗濯機の漏水判断方法及び漏水対策を提供する。
【００３９】
まず、洗濯時には、洗濯機が給水を開始することで洗浄筒２内の水位が上昇する。水位が洗濯機における予め定められた洗浄水位まで上昇すると、吸水が停止して洗浄が開始される。給水時に漏水が発生する原因としては、パッキン１３と覗き窓３１の間に隙間が存在するか、或いは、パッキンに破損が生じたものと考えられる。また、これらの原因によって発生する漏水隙間が洗濯機における予め定められた最高水位以下に位置する場合には、給水過程で洗浄筒内の水位が上昇を続けるに伴い、筒内の水位が漏水隙間まで上昇すると、洗浄水は当該隙間から漏出する。
【００４０】
水位検出装置は水受１５内の水位状況を検出すると、第１漏水情報を取得する。制御装置は第１漏水情報に基づいて、排水機構が起動するよう制御する。排水機構の起動後、前記水位検出装置は引き続き水受内の水位の変化状況を検出して第２漏水情報を取得する。そして、制御装置は第２漏水情報及び取得した洗濯プログラムの段階情報に基づいて、第２漏水情報及び洗濯プログラムの段階に応じた第２漏水対策を実行する。
【００４１】
更に、洗濯機の漏水は漏水量によって軽微な漏水と深刻な漏水に分けられる。軽微な漏水の場合、洗濯機は洗浄水を洗濯機の外部に漏出させることなく、洗濯過程の正常な進行が保証されるよう対応策を実行する。一方、深刻な漏水の場合、洗濯機は、洗浄水が洗濯機の外部に漏出して周辺環境を汚染したり、洗浄水が電気部品に接触することで回路のショートや電気部品の焼けが生じ、安全上のリスクが招来されたりすることのないよう、特に洗濯過程を停止するような対応策を実行する。
【００４２】
本発明の実施例１で提供する具体的な漏水判断方法及び漏水対策は下記の通りである。
【００４３】
図４に示すように、洗濯機の給水段階では給水弁が開放され、漏水判断方法及び漏水対策のフローとして以下が実施される。
【００４４】
ステップＳ１０１：水位検出装置が稼働し、水受内の水位Ｈを検出して出力する。
【００４５】
ステップＳ１０２：制御装置は水受１５内の水位Ｈの状況を示す第１漏水情報にしたがう。
【００４６】
ステップＳ１０３：漏水状況を判断し、漏水対策を実行する。
【００４７】
ここで、漏水判断方法として、制御装置は第１漏水情報に基づき、全給水過程を通じて水受１５内の水位Ｈに変化がない場合、或いはＨ＝０の場合、洗濯機は漏水していないと判断する。一方、水受内が水位Ｈ＞０の場合には洗濯機に漏水箇所があることを意味するため、洗濯機が漏水していると判断する。
【００４８】
更に、漏水対策としては、洗濯機が漏水していると判断した場合、制御装置は排水機構が起動するよう、具体的には漏水ポンプ１６が起動するよう制御する。すると、水受１５により受け付けられた漏水が水管１７を経由してポンプにより洗浄筒２に送られ、洗浄水として引き続き使用される。
【００４９】
ステップＳ１０４：漏水ポンプが所定の時間起動した後、水受内の水位Ｈの変化を検出し、第２漏水情報を取得する。
【００５０】
漏水ポンプ１６の起動後に水受１５内の漏水は継続的にポンプにより送り出されるため、水位検出装置は引き続き水受１５内の水位Ｈの変化状況を検出する。
【００５１】
ステップＳ１０５：制御装置は第２漏水情報にしたがう。
【００５２】
制御装置は水位Ｈの変化状況に基づいて漏水速度を判断する。なお、漏水速度をＶＬ、漏水ポンプによる排水速度をＶＰとする。
【００５３】
水位検出装置が所定の時間検出した後、水受１５内の水位が排水機構の起動後も依然として上昇している場合には、漏水速度ＶＬが漏水ポンプの排水速度ＶＰを上回っている、即ちＶＬ＞ＶＰであることを意味する。漏水速度が漏水ポンプの排水速度を上回ると、水受１５内の水が次第に満杯となって溢れ出すことになる。このとき、制御装置は洗濯機が深刻に漏水していると判断する。
【００５４】
一方、水受１５内の水位が排水機構の起動後に上昇しなくなった場合には、漏水速度ＶＬが漏水ポンプの排水速度ＶＰを下回っている、即ちＶＬ≦ＶＰであることを意味する。この場合、水受内に収集された漏出洗浄水はポンプによって洗浄筒２内へと速やかに送り出されているため、水受１５内の水が満杯となることはなく、水が溢れ出すとの事態も生じ得ない。このとき、制御装置は洗濯機が軽微に漏水していると判断する。
【００５５】
ステップＳ１０６：洗濯プログラムの段階を判断し、第２漏水対策を実行する。洗濯プログラムが給水段階の場合に実行される第２漏水対策には以下が含まれる。
【００５６】
水受内の水位Ｈが上昇し続けている場合、即ちＶＬ＞ＶＰの場合、漏水ポンプ１６を起動するだけでは水受１５内の水が次第に満杯となって溢れ出し、安全上のリスクや環境汚染を招来してしまう。このとき、制御装置は給水弁（図示しない）が閉止するよう制御するとともに、洗濯機の排水装置、即ち排水ポンプ（図示しない）を起動する。排水ポンプが起動すると、洗浄筒２内の水が排出される。そして、洗浄筒内の水位が次第に低下して漏水隙間以下に達するか、洗浄筒内の水が全て排出されると、漏水源が断ち切られ、給水プログラムが停止する。これにより、洗濯機は洗濯プログラムを停止する。また、水受内が水位Ｈ＝０となると、制御装置は漏水ポンプ１６が稼働を停止するよう制御する。
【００５７】
一方、水受内の水位Ｈが下降しているか不変である場合、即ちＶＬ≦ＶＰの場合には、漏水速度ＶＬが漏水ポンプの排水速度ＶＰ以下であることを意味する。この場合には、水受１５内に収集された漏出洗浄水が速やかに洗浄筒２内へと搬送されているため、水受２に水が満杯となって溢れ出すとの事態は生じ得ない。よって、この場合には給水プログラムを継続可能であり、洗濯機は引き続き洗濯過程を実施する。また、水受２内が水位Ｈ＝０となると、制御装置は漏水ポンプ１６が稼働を停止するよう制御する。
【００５８】
洗濯機には漏水情報に対応する警告情報が予め設定されている。洗濯プログラムが停止すると、制御装置は漏水情報を取得して、前記警告情報が漏水情報に対応する警告情報となるよう制御する。そして、警告装置（図示しない）がユーザにより認識可能な警告情報を出力する。
【００５９】
洗濯機が深刻に漏水している場合、具体的には例えば洗濯機のディスプレイである警告装置が警告情報Ａを表示する。具体的に、警告情報Ａは、洗濯機が深刻に漏水しており、正常な洗濯を実行不可能なため検査・修理が必要であることを示す。
【００６０】
一方、洗濯機が軽微に漏水している場合、具体的には例えば洗濯機のディスプレイである警告装置は、全洗濯プログラムが終了してから警告情報Ｂを表示する。具体的に、警告情報Ｂは、洗濯機が軽微に漏水しており、検査・修理が必要であることを示す。
【００６１】
実施例２
【００６２】
図５に示すように、本実施例は、洗浄／すすぎ段階での本発明におけるドラム洗濯機の漏水判断方法及び漏水対策を提供する。
【００６３】
洗浄／すすぎ段階における漏水の原因としては、パッキン１３と覗き窓３１との漏水隙間が予め定められた洗浄時の最高水位以上に位置することが考えられる。洗浄筒は、回動によって洗浄水が上下しながら流動するよう攪拌するため、洗浄水は当該隙間に達したときに漏出してしまう。
【００６４】
更に、洗濯機の漏水は、漏水量によって軽微な漏水と深刻な漏水に分けられる。本発明の実施例２で提供する洗浄／すすぎ段階での漏水判断方法及び漏水対策は、実施例１で提供する給水段階での漏水判断方法及び漏水対策と比較すると、ステップＳ１０１〜ステップＳ１０５は同様であるが、ステップＳ１０６において異なる。
【００６５】
ステップＳ１０６：洗濯プログラムの段階を判断し、第２漏水対策を実行する。洗濯プログラムが洗浄／すすぎ段階の場合に実行される第２漏水対策には以下が含まれる。
【００６６】
排水機構の起動後も水受１５内の水位が依然として上昇している場合、即ちＶＬ＞ＶＰの場合、漏水ポンプ１６を起動するだけでは水受１５内の水が次第に満杯となって溢れ出し、安全上のリスクや環境汚染を招来してしまう。この場合には、洗浄／すすぎプログラムを停止するとともに、洗濯機の排水装置、即ち排水ポンプ（図示しない）を起動する必要がある。排水ポンプが起動すると、洗浄筒２内の水が排出される。そして、洗浄筒内の水位が次第に低下して漏水隙間以下に達するか、洗浄筒内の水が全て排出されるとともに、水受内が水位Ｈ＝０となると、制御装置は漏水ポンプ１６が稼働を停止するよう制御する。
【００６７】
一方、排水機構の起動後に水受１５内の水位が上昇しなくなった場合、即ちＶＬ≦ＶＰの場合には、漏水速度ＶＬが漏水ポンプの排水速度ＶＰ以下であることを意味する。この場合には、水受１５内に収集された漏出洗浄水が速やかに洗浄筒２内へと搬送されているため、水受２に水が満杯となって溢れ出すとの事態は生じ得ない。よって、この場合には洗浄／すすぎプログラムを継続可能であり、洗濯機は引き続き洗濯過程を実施する。また、水受２内が水位Ｈ＝０となると、制御装置は漏水ポンプ１６が稼働を停止するよう制御する。
【００６８】
洗濯機には漏水情報に対応する警告情報が予め設定されている。洗濯プログラムが停止すると、制御装置は漏水情報を取得して、前記警告情報が漏水情報に対応する警告情報となるよう制御する。そして、警告装置（図示しない）がユーザにより認識可能な警告情報を出力する。
【００６９】
洗濯機が深刻に漏水している場合、具体的には例えば洗濯機のディスプレイである警告装置が警告情報Ａを表示する。具体的に、警告情報Ａは、洗濯機が深刻に漏水しており、正常な洗濯を実行不可能なため検査・修理が必要であることを示す。
【００７０】
一方、洗濯機が軽微に漏水している場合、具体的には例えば洗濯機のディスプレイである警告装置は、全洗濯プログラムが終了してから警告情報Ｂを表示する。具体的に、警告情報Ｂは、洗濯機が軽微に漏水しており、検査・修理が必要であることを示す。
【００７１】
実施例３
【００７２】
本実施例の排水機構は外部の排水管路（図示しない）と連通している。
【００７３】
衣類の洗浄時に洗浄水の漏出が発生した場合には、漏水孔から漏出した洗浄水を水受１５が受け付ける。更に、水位検出装置は、水受内が水位Ｈ＞０であることを検出すると漏水情報を出力する。このときの漏水情報は第１漏水情報である。制御装置は第１漏水情報に基づいて排水機構を起動し、水受１５により受け付けられた漏水を外部の排水管路を経由して排出するよう制御する。これにより、漏電や感電といった安全上のリスクが回避される。
【００７４】
なお、上記実施例の実施方案は、更なる組み合わせ又は置き換えが可能である。また、実施例は本発明の好ましい実施例について述べたものにすぎず、本発明の構想及び範囲を限定するものではない。本発明の設計思想を逸脱しないことを前提に、当業者が本発明の技術方案について実施する各種の変形及び改良は、いずれも本発明の保護の範囲に属する。
【符号の説明】
【００７５】
１  フロントパネル
１１  凹部
１２  衣類投入口
１３  パッキン
１４  漏水孔
１５  水受
１６  漏水ポンプ
１７  水管
２  洗浄筒
３  扉体
３１  覗き窓
４  筐体
【図１】
2019509137.tif 000003
【図２】
2019509137.tif 000004
【図３】
2019509137.tif 000005
【図４】
2019509137.tif 000006
【図５】
2019509137.tif 000007
【国際調査報告】
2019509137.tif 000008
2019509137.tif 000009
2019509137.tif 000010
2019509137.tif 000011
2019509137.tif 000012
2019509137.tif 000013